【誤訳訂正書】
【提出日】平成25年10月8日(2013.10.8)
【誤訳訂正１】
【訂正対象書類名】特許請求の範囲
【訂正対象項目名】全文
【訂正方法】変更
【訂正の内容】
【特許請求の範囲】
【請求項１】
シングルエンド一次インダクタンスコンバータ（ＳＥＰＩＣ）給電バックコンバータ（２００，２５０，５００，５５０，６００，７００）であって、
第１の信号に従って開閉するよう構成された第１のスイッチ（Ｓ1SB）と、
前記第１のスイッチおよび直流電源（ＥIN）に結合され、第１の組の１または複数の受動素子（Ｔ1A，Ｔ1B，Ｃ1，Ｃ2）を備えたＳＥＰＩＣ部と、
前記第１のスイッチ（Ｓ1SB）と結合され、第２の組の１または複数の受動素子（Ｔ1C）を備えたバックコンバータ部と、
を備え、
前記第１のスイッチ（Ｓ1SB）が閉じられている間、前記ＳＥＰＩＣ部は、前記第１の組の受動素子（Ｔ1A，Ｔ1B）の少なくとも一部に直流電源（ＥIN）からのエネルギを蓄えると共に前記バックコンバータ部にエネルギを供給するよう構成されており、前記バックコンバータ部は、負荷（Ｒ）にエネルギを供給すると共に前記第２の組の受動素子（Ｔ1C）の少なくとも一部にエネルギを蓄えるよう構成されており、
前記第１のスイッチ（Ｓ1SB）が開かれている間、前記ＳＥＰＩＣ部は、蓄えたエネルギの少なくとも一部を前記負荷（Ｒ）に供給するよう構成されており、前記バックコンバータ部は、蓄えたエネルギの少なくとも一部を前記負荷（Ｒ）に供給するよう構成されている、コンバータ（２００，２５０，５００，５５０，６００，７００）。
【請求項２】
請求項１に記載のコンバータ（２００）であって、前記バックコンバータ部は、前記ＳＥＰＩＣ部にガルバニック的に結合される、コンバータ（２００）。
【請求項３】
請求項１に記載のコンバータ（５００）であって、前記バックコンバータ部は、前記ＳＥＰＩＣ部に電磁的に結合される、コンバータ（５００）。
【請求項４】
請求項１に記載のコンバータ（２００，２５０，５００，５５０，６００，７００）であって、さらに、前記第１の信号に対応する制御信号を供給するよう構成された制御部（２０６）を備える、コンバータ（２００，２５０，５００，５５０，６００，７００）。
【請求項５】
請求項１に記載のコンバータ（５００，６００）であって、前記ＳＥＰＩＣ部は、さらに、第２の信号に従って開閉するよう構成されたＳＥＰＩＣ部関連スイッチ（Ｓ2S）を備える、コンバータ（５００，６００）。
【請求項６】
請求項１に記載のコンバータ（２００，２５０，５００，５５０，６００，７００）であって、前記バックコンバータ部は、さらに、第２の信号に従って開閉するよう構成されたバックコンバータ部関連スイッチ（Ｓ2B）を備える、コンバータ（２００，２５０，５００，５５０，６００，７００）。
【請求項７】
請求項６に記載のコンバータ（２００，２５０，５００，５５０，６００，７００）であって、さらに、前記第２の信号に対応する制御信号を供給するよう構成された制御部（２０６）を備える、コンバータ（２００，２５０，５００，５５０，６００，７００）。
【請求項８】
請求項１に記載のコンバータ（２００，２５０，５００，５５０，６００，７００）であって、前記コンバータの伝達関数は、Ｄ／（２−Ｄ）に一致し、Ｄは、前記第１の信号のデューティサイクルに一致する、コンバータ（２００，２５０，５００，５５０，６００，７００）。
【請求項９】
請求項１に記載のコンバータ（２００，２５０，５００，５５０，６００，７００）であって、前記第１のスイッチ（Ｓ1SB）は、金属酸化膜電界効果トランジスタ（ＭＯＳＦＥＴ）を備える、コンバータ（２００，２５０，５００，５５０，６００，７００）。
【請求項１０】
請求項１に記載のコンバータ（２００，２５０，５００，５５０，６００，７００）であって、前記第１のスイッチ（Ｓ1SB）は、ゲート、ソース、および、ドレインを有するトランジスタを備える、コンバータ（２００，２５０，５００，５５０，６００，７００）。
【請求項１１】
請求項１０に記載のコンバータ（２５０，５５０）であって、さらに、前記第１のスイッチ（Ｓ1SB）に結合されたドライバ（ＤＲ１）を備え、
前記第１のスイッチ（Ｓ1SB）の前記ゲートおよび前記ソースは、ゲート・ソース間静電容量を形成し、
前記トランジスタのターンオフ時間の間に、前記ゲート・ソース間静電容量から電荷が、前記ドライバ（ＤＲ１）によって取り出される、コンバータ（２５０，５５０）。
【請求項１２】
請求項１１に記載のコンバータ（２５０，５５０）であって、
前記第１の組の受動素子（Ｔ1A，Ｔ1B，Ｃ1，Ｃ2）は、複数の結合インダクタ（Ｔ1A，Ｔ1B）を含み、
前記トランジスタのターンオフ時間の間に、ゲート電荷取り出し（ＧＣＥ）電流（２６８，５６８）が、前記トランジスタおよび前記ドライバ（ＤＲ１）間に流れ、ＧＣＥ誘導電流（２７０，５７０）が、前記インダクタ（Ｔ1A，Ｔ1B，Ｓ2S，Ｃ1，Ｃ2）に誘導され、
前記ＧＣＥ電流（２６８，５６８）および前記ＧＣＥ誘導電流（２７０，５７０）は、反対方向に流れる電流であり、併せてターンオフ電流を形成する、コンバータ（２５０，５５０）。
【請求項１３】
請求項１０に記載のコンバータ（２５０，５５０）であって、さらに、前記第１のスイッチ（Ｓ1SB）の前記ゲートおよび前記ソースに結合されたドライバ（ＤＲ１）を備える、コンバータ（２５０，５５０）。
【請求項１４】
請求項１０に記載のコンバータ（２５０，５５０）であって、さらに、ドライバ出力端子およびドライバリターン端子（２６２）を有するドライバ（ＤＲ１）を備え、前記ドライバ出力端子は、前記第１のスイッチ（Ｓ1SB）の前記ゲートに結合され、前記ドライバリターン端子（２６２）は、前記第１のスイッチの前記ソースに結合されている、コンバータ（２５０，５５０）。
【請求項１５】
請求項１に記載のコンバータ（２５０）であって、前記第１のスイッチ（Ｓ1SB）のターンオンに関連するターンオン損失の一次近似ＰLossSFBonは、［０．２５（Ｅin＋Ｅout）・Ｉout／（２−Ｄ）］・Ｔturn-on・ｆであり、Ｅinは、前記コンバータの入力電圧に一致し、Ｅoutは、前記コンバータの出力電圧に一致し、Ｉoutは、前記コンバータの出力電流に一致し、Ｄは、前記第１の信号のデューティサイクルに一致し、Ｔturn-onは、前記第１のスイッチのターンオン時間に一致し、ｆは、前記第１の信号の周波数に一致する、コンバータ（２５０）。
【請求項１６】
請求項１に記載のコンバータ（２５０）であって、前記第１のスイッチ（Ｓ1SB）のターンオフに関連するターンオフ損失の一次近似ＰLossSFBoffは、０．５ａ・［Ｉout／（２−Ｄ）］・Ｔturn-off・ｆであり、ａは、デバイスの相互コンダクタンス特性に一致し、Ｉoutは、前記コンバータの出力電流に一致し、Ｄは、前記第１の信号のデューティサイクルに一致し、Ｔturn-offは、前記第１のスイッチのターンオン時間に一致し、ｆは、前記第１の信号の周波数に一致する、コンバータ（２５０）。
【請求項１７】
請求項１に記載のコンバータ（２００，２５０，５００，５５０，６００，７００）であって、
前記第１の組の受動素子は、第１のインダクタ（Ｔ1A）および第２のインダクタ（Ｔ1B）を含み、
前記第１のスイッチ（Ｓ1SB）が閉じられている間、前記ＳＥＰＩＣ部は、前記第１および第２のインダクタ（Ｔ1A，Ｔ1B）にエネルギを蓄えると共に前記バックコンバータ部にエネルギを供給するよう構成され、
前記第１のスイッチ（Ｓ1SB）が開かれている間、前記ＳＥＰＩＣ部は、前記第１および第２のインダクタ（Ｔ1A，Ｔ1B）に蓄えられた前記エネルギの少なくとも一部を前記負荷（Ｒ）に供給するよう構成されている、コンバータ（２００，２５０，５００，５５０，６００，７００）。
【請求項１８】
請求項１に記載のコンバータ（２００，２５０，５００，５５０，６００，７００）であって、
前記第２の組の受動素子は、インダクタ（Ｔ1C）を含み、
前記第１のスイッチ（Ｓ1SB）が閉じられている間、前記バックコンバータ部は、前記ＳＥＰＩＣ部から供給された少なくとも一部のエネルギを前記負荷（Ｒ）に供給すると共に前記インダクタ（Ｔ1C）にエネルギを蓄えるよう構成され、
前記第１スイッチ（Ｓ1SB）が開かれている間、前記バックコンバータ部は、前記インダクタ（Ｔ1C）に蓄えられた前記エネルギの少なくとも一部を前記負荷（Ｒ）に供給するよう構成されている、コンバータ（２００，２５０，５００，５５０，６００，７００）。
【請求項１９】
請求項１に記載のコンバータ（２００，２５０，５００，５５０，６００，７００）であって、さらに、整流マトリクス（２８０）を備える、コンバータ（２００，２５０，５００，５５０，６００，７００）。
【請求項２０】
請求項１に記載のコンバータ（６００）であって、
前記ＳＥＰＩＣ部は第１のＳＥＰＩＣ部であり、前記バックコンバータ部は第１のバックコンバータ部であり、
前記コンバータは、さらに、
第２のスイッチ信号に従って開閉するよう構成された第２のスイッチ（Ｓ2SB）と、
前記第２のスイッチ（Ｓ2SB）および前記直流電源（ＥIN）に結合され、第３の組の受動素子（Ｔ1E，Ｔ1F）を備えた第２のＳＥＰＩＣ部と、
前記第１のバックコンバータ部に結合され、第４の組の１または複数の受動素子（Ｔ1D，Ｔ1H）と、さらなるバックコンバータ部関連スイッチ（Ｓ2S）とを備えた第２のバックコンバータ部と、
を備え、
前記第１の信号および前記第２の信号は、位相オフセットを有する、コンバータ（６００）。
【請求項２１】
請求項１に記載のコンバータ（２００，５００，７００）であって、前記コンバータは、２（１−Ｄ＋Ｄ2）／（２−Ｄ）2、１．５｛［１−（Ｄ／．７５）］＋（Ｄ2／．７５）｝／（２−Ｄ）2、または、（２−０．５Ｄ）／（２−Ｄ）2の一次近似導電損失比を有し、Ｄは、前記第１の信号のデューティサイクルに一致する、コンバータ（２００，５００，７００）。
【請求項２２】
請求項１に記載のコンバータ（２００，５００，６００，７００）であって、前記コンバータは、近似的に［（１＋Ｍ）／２］2であるインダクタリセット比ＫSFBresetを有し、Ｍ＝Ｄ／（２−Ｄ）であり、Ｄは、前記第１の信号のデューティサイクルに一致する、コンバータ（２００，５００，６００，７００）。
【請求項２３】
請求項１に記載のコンバータ（２００，５００，６００，７００）であって、前記コンバータは、近似的に（１＋Ｍ）／２であるインダクタセット比ＫSFBsetを有し、Ｍ＝Ｄ／（２−Ｄ）であり、Ｄは、前記第１の信号のデューティサイクルに一致する、コンバータ（２００，５００，６００，７００）。
【誤訳訂正２】
【訂正対象書類名】明細書
【訂正対象項目名】００１１
【訂正方法】変更
【訂正の内容】
【００１１】
図２Ａおよび２Ｃを参照すると、ｔONの間、Ｓ1SBは閉じており、Ｓ2BおよびＳ2Sは開いている。ＤＣ電流Ｉ1およびＩ3が、それぞれ、インダクタＴ1AおよびＴ1Bを流れる。したがって、エネルギ源からのエネルギは、ＳＥＰＩＣ部のインダクタに蓄えられる。この期間中、ＳＥＰＩＣ部は、負荷にエネルギを直接供給しないが、バックコンバータ部にエネルギ源からのエネルギを供給する。同時に、電流Ｉ6が、Ｔ1Cを通して流れる。したがって、エネルギは、バックコンバータ部のインダクタに蓄えられる。図２Ｃによると、Ｉ2（グラフＪ）は、コンデンサＣ2を通る電流であり、Ｉ9（グラフＰ）は、コンデンサＣ3を通る電流であるｔONの間、Ｃ2およびＣ3は、放電（セット）し、電流ＩOUTが、負荷に供給される。したがって、バックコンバータ部は、ｔONの間、負荷にエネルギを供給する。
【誤訳訂正３】
【訂正対象書類名】明細書
【訂正対象項目名】００３７
【訂正方法】変更
【訂正の内容】
【００３７】
前述の実施形態は、理解しやすいように少し詳しく説明されているが、本発明は、提供された詳細事項に限定されるものではない。本発明を実施する多くの代替方法がある。開示された実施形態は、例示であり、限定を意図するものではない。
（形態１）
シングルエンド一次インダクタンスコンバータ（ＳＥＰＩＣ）給電バックコンバータであって、
第１の信号に従って開閉するよう構成された第１のスイッチと、
前記第１のスイッチおよびエネルギ源に結合され、第１の組の１または複数の受動素子を備えたＳＥＰＩＣ部と、
前記第１のスイッチと結合され、第２の組の１または複数の受動素子を備えたバックコンバータ部と、
を備え、
前記第１のスイッチが閉じられている間、前記ＳＥＰＩＣ部は、前記第１の組の受動素子の少なくとも一部にエネルギ源からのエネルギを蓄えると共に前記バックコンバータ部にエネルギを供給するよう構成されており、前記バックコンバータ部は、負荷にエネルギを供給すると共に前記第２の組の受動素子の少なくとも一部にエネルギを蓄えるよう構成されており、
前記第１のスイッチが開かれている間、前記ＳＥＰＩＣ部は、蓄えたエネルギの少なくとも一部を前記負荷に供給するよう構成されており、前記バックコンバータ部は、蓄えたエネルギの少なくとも一部を前記負荷に供給するよう構成されている、コンバータ。
（形態２）
形態１に記載のコンバータであって、前記バックコンバータ部は、前記ＳＥＰＩＣ部にガルバニック的に結合される、コンバータ。
（形態３）
形態１に記載のコンバータであって、前記バックコンバータ部は、前記ＳＥＰＩＣ部に電磁的に結合される、コンバータ。
（形態４）
形態１に記載のコンバータであって、さらに、前記第１の信号に対応する制御信号を供給するよう構成された制御部を備える、コンバータ。
（形態５）
形態１に記載のコンバータであって、前記ＳＥＰＩＣ部は、さらに、第２の信号に従って開閉するよう構成されたＳＥＰＩＣ部関連スイッチを備える、コンバータ。
（形態６）
形態１に記載のコンバータであって、前記バックコンバータ部は、さらに、第２の信号に従って開閉するよう構成されたバックコンバータ部関連スイッチを備える、コンバータ。
（形態７）
形態６に記載のコンバータであって、さらに、前記第２の信号に対応する制御信号を供給するよう構成された制御部を備える、コンバータ。
（形態８）
形態１に記載のコンバータであって、前記コンバータの伝達関数は、Ｄ／（２−Ｄ）に対応し、Ｄは、前記第１の信号のデューティサイクルに対応する、コンバータ。
（形態９）
形態１に記載のコンバータであって、前記第１のスイッチは、金属酸化膜電界効果トランジスタ（ＭＯＳＦＥＴ）を備える、コンバータ。
（形態１０）
形態１に記載のコンバータであって、前記第１のスイッチは、ゲート、ソース、および、ドレインを有するトランジスタを備える、コンバータ。
（形態１１）
形態１０に記載のコンバータであって、さらに、前記第１のスイッチに結合されたドライバを備え、
前記第１のスイッチの前記ゲートおよび前記ソースは、ゲート・ソース間静電容量を形成し、
前記トランジスタのターンオフ時間の間に、前記ゲート・ソース間静電容量から電荷が、前記ドライバによって取り出される、コンバータ。
（形態１２）
形態１１に記載のコンバータであって、
前記第１の組の受動素子は、複数の結合インダクタを含み、
前記トランジスタのターンオフ時間の間に、ゲート電荷取り出し（ＧＣＥ）電流が、前記トランジスタおよび前記ドライバ間に流れ、ＧＣＥ誘導電流が、前記インダクタに誘導され、
前記ＧＣＥ電流および前記ＧＣＥ誘導電流は、反対方向に流れる電流であり、併せてターンオフ電流を形成する、コンバータ。
（形態１３）
形態１０に記載のコンバータであって、さらに、前記第１のスイッチの前記ゲートおよび前記ソースに結合されたドライバを備える、コンバータ。
（形態１４）
形態１０に記載のコンバータであって、さらに、ドライバ出力端子およびドライバリターン端子を有するドライバを備え、前記ドライバ出力端子は、前記第１のスイッチの前記ゲートに結合され、前記ドライバリターン端子は、前記第１のスイッチの前記ソースに結合されている、コンバータ。
（形態１５）
形態１に記載のコンバータであって、前記第１のスイッチのターンオンに関連するターンオン損失の一次近似ＰLossSFBonは、［０．２５（Ｅin＋Ｅout）・Ｉout／（２−Ｄ）］・Ｔturn-on・ｆであり、Ｅinは、前記コンバータの入力電圧に対応し、Ｅoutは、前記コンバータの出力電圧に対応し、Ｉoutは、前記コンバータの出力電流に対応し、Ｄは、前記第１の信号のデューティサイクルに対応し、Ｔturn-onは、前記第１のスイッチのターンオン時間に対応し、ｆは、前記第１の信号の周波数に対応する、コンバータ。
（形態１６）
形態１に記載のコンバータであって、前記第１のスイッチのターンオフに関連するターンオフ損失の一次近似ＰLossSFBoffは、０．５ａ・［Ｉout／（２−Ｄ）］・Ｔturn-off・ｆであり、ａは、デバイスの相互コンダクタンス特性に対応し、Ｉoutは、前記コンバータの出力電流に対応し、Ｄは、前記第１の信号のデューティサイクルに対応し、Ｔturn-offは、前記第１のスイッチのターンオン時間に対応し、ｆは、前記第１の信号の周波数に対応する、コンバータ。
（形態１７）
形態１に記載のコンバータであって、
前記第１の組の受動素子は、第１のインダクタおよび第２のインダクタを含み、
前記第１のスイッチが閉じられている間、前記ＳＥＰＩＣ部は、前記第１および第２のインダクタにエネルギを蓄えると共に前記バックコンバータ部にエネルギを供給するよう構成され、
前記第１のスイッチが開かれている間、前記ＳＥＰＩＣ部は、前記第１および第２のインダクタに蓄えられた前記エネルギの少なくとも一部を前記負荷に供給するよう構成されている、コンバータ。
（形態１８）
形態１に記載のコンバータであって、
前記第２の組の受動素子は、インダクタを含み、
前記第１のスイッチが閉じられている間、前記バックコンバータ部は、前記ＳＥＰＩＣ部から供給された少なくとも一部のエネルギを前記負荷に供給すると共に前記インダクタにエネルギを蓄えるよう構成され、
前記第１スイッチが開かれている間、前記バックコンバータ部は、前記インダクタに蓄えられた前記エネルギの少なくとも一部を前記負荷に供給するよう構成されている、コンバータ。
（形態１９）
形態１に記載のコンバータであって、さらに、整流マトリクスを備える、コンバータ。
（形態２０）
形態１に記載のコンバータであって、
前記ＳＥＰＩＣ部は第１のＳＥＰＩＣ部であり、前記バックコンバータ部は第１のバックコンバータ部であり、
前記コンバータは、さらに、
第２のスイッチ信号に従って開閉するよう構成された第２のスイッチと、
前記第２のスイッチおよび前記エネルギ源に結合され、第３の組の受動素子を備えた第２のＳＥＰＩＣ部と、
前記第１のバックコンバータ部に結合され、第４の組の１または複数の受動素子と、さらなるバックコンバータ部関連スイッチとを備えた第２のバックコンバータ部と、
を備え、
前記第１の信号および前記第２の信号は、位相オフセットを有する、コンバータ。
（形態２１）
形態１に記載のコンバータであって、前記コンバータは、２（１−Ｄ＋Ｄ2）／（２−Ｄ）2、１．５｛［１−（Ｄ／．７５）］＋（Ｄ2／．７５）｝／（２−Ｄ）2、または、（２−０．５Ｄ）／（２−Ｄ）2の一次近似導電損失比を有し、Ｄは、前記第１の信号のデューティサイクルに対応する、コンバータ。
（形態２２）
形態１に記載のコンバータであって、前記コンバータは、近似的に［（１＋Ｍ）／２］2であるインダクタリセット比ＫSFBresetを有し、Ｍ＝Ｄ／（２−Ｄ）であり、Ｄは、前記第１の信号のデューティサイクルに対応する、コンバータ。
（形態２３）
形態１に記載のコンバータであって、前記コンバータは、近似的に（１＋Ｍ）／２であるインダクタセット比ＫSFBsetを有し、Ｍ＝Ｄ／（２−Ｄ）であり、Ｄは、前記第１の信号のデューティサイクルに対応する、コンバータ。
（形態２４）
ＤＣ−ＤＣコンバータであって、
スイッチＳ1SB、スイッチＳ2B、スイッチＳ2S、コンデンサＣ2、インダクタＴ1A、インダクタＴ1B、および、インダクタＴ1Cを備え、
前記インダクタＴ1Aの第１の端子が、エネルギ源の第１の端子に結合され、
前記コンデンサＣ2の第１の端子、前記インダクタＴ1Aの第２の端子、および、前記スイッチＳ1SBの第１の端子が結合され、
前記インダクタＴ1Cの第１の端子、Ｓ1SBの第２の端子、および、Ｓ2Bの第１の端子が結合され、
前記インダクタＴ1Cの第２の端子およびＳ2Sの第１の端子が結合され、
前記インダクタＴ1Bの第１の端子およびＳ2Bの第２の端子が、前記エネルギ源の第２の端子に結合するよう構成され、
前記コンデンサＣ2の第２の端子、前記インダクタＴ1Bの第２の端子、および、Ｓ2Sの第２の端子が結合されている、ＤＣ−ＤＣコンバータ。
（形態２５）
形態２４に記載のＤＣ−ＤＣコンバータであって、さらに、コンデンサＣ1およびコンデンサＣ3を備え、
前記コンデンサＣ1の第１の端子が、前記インダクタＴ1Aの前記第１の端子に結合され、前記コンデンサＣ1の第２の端子が、前記インダクタＴ1Bの前記第１の端子に結合され、
前記コンデンサＣ3の第１の端子が、前記インダクタＴ1Cの前記第２の端子に結合され、前記コンデンサＣ3の第２の端子が、前記インダクタＴ1Bの前記第１の端子に結合されている、ＤＣ−ＤＣコンバータ。
（形態２６）
形態２４に記載のＤＣ−ＤＣコンバータであって、前記インダクタＴ1A、Ｔ1B、および、Ｔ1Cは、誘導結合される、ＤＣ−ＤＣコンバータ。
（形態２７）
形態２４に記載のＤＣ−ＤＣコンバータであって、前記インダクタＴ1Cの前記第２の端子は、負荷に結合される、ＤＣ−ＤＣコンバータ。
（形態２８）
形態２４に記載のＤＣ−ＤＣコンバータであって、さらに、前記インダクタＴ1Aの前記第２の端子、前記インダクタＴ1Cの前記第１の端子、前記インダクタＴ1Bの前記第１の端子、および、前記インダクタＴ1Bの前記第２の端子に結合された整流マトリクスを備える、ＤＣ−ＤＣコンバータ。
（形態２９）
形態２４に記載のＤＣ−ＤＣコンバータであって、さらに、インダクタＴ1Dを備え、前記インダクタＴ1Dの第１の端子が、前記スイッチＳ2Bのゲート端子に結合され、前記インダクタＴ1Dの第２の端子が、前記スイッチＳ2Sのゲート端子に結合されている、ＤＣ−ＤＣコンバータ。
（形態３０）
形態２４に記載のＤＣ−ＤＣコンバータであって、さらに、前記スイッチＳ1SBに信号を供給するよう構成された制御部を備える、ＤＣ−ＤＣコンバータ。
（形態３１）
ＤＣ−ＤＣコンバータであって、
スイッチＳ1SB、スイッチＳ2B、スイッチＳ2S、コンデンサＣ2、インダクタＴ1A、インダクタＴ1B、インダクタＴ1C、および、インダクタＴ1Dを備え、
前記インダクタＴ1Aの第１の端子が、エネルギ源の第１の端子に結合され、
前記インダクタＴ1Aの第２の端子、前記インダクタＴ1Bの第１の端子、および、スイッチＳ1SBの第１の端子が結合され、
前記インダクタＴ1Cの第１の端子、前記インダクタＴ1Dの第１の端子、前記スイッチＳ1SBの第２の端子、前記スイッチＳ2Bの第１の端子、スイッチＳ2Sの第１の端子が結合され、
前記インダクタＴ1Cの第２の端子および前記インダクタＴ1Dの第２の端子が結合され、
前記コンデンサＣ2の第２の端子、前記スイッチＳ2Bの第２の端子、および、前記スイッチＳ2Sの第２の端子が結合されている、ＤＣ−ＤＣコンバータ。
（形態３２）
形態３１に記載のＤＣ−ＤＣコンバータであって、さらに、コンデンサＣ1およびコンデンサＣ3を備え、
前記コンデンサＣ1の第１の端子が、前記インダクタＴ1Aの前記第１の端子に結合され、前記コンデンサＣ1の第２の端子が、前記コンデンサＣ2の前記第２の端子に結合され、
前記コンデンサＣ3の第１の端子が、前記インダクタＴ1Cの前記第２の端子に結合され、前記コンデンサＣ3の第２の端子が、前記コンデンサＣ2の前記第２の端子に結合されている、ＤＣ−ＤＣコンバータ。
（形態３３）
形態３１に記載のＤＣ−ＤＣコンバータであって、前記インダクタＴ1A、Ｔ1B、Ｔ1C、および、Ｔ1Dは、誘導結合される、ＤＣ−ＤＣコンバータ。
（形態３４）
形態３１に記載のＤＣ−ＤＣコンバータであって、前記インダクタＴ1Cの前記第２の端子およびＴ1Dの前記第２の端子は、負荷に結合される、ＤＣ−ＤＣコンバータ。
（形態３５）
形態３１に記載のＤＣ−ＤＣコンバータであって、さらに、前記インダクタＴ1Bの前記第２の端子、前記インダクタＴ1Cの前記第１の端子、および、前記コンデンサＣ2の前記第２の端子に結合された整流マトリクスを備える、ＤＣ−ＤＣコンバータ。
（形態３６）
形態３１に記載のＤＣ−ＤＣコンバータであって、さらに、前記スイッチＳ1SBに信号を供給するよう構成された制御部を備える、ＤＣ−ＤＣコンバータ。
（形態３７）
ＤＣ−ＤＣコンバータであって、
インダクタＴ1A、インダクタＴ1B、インダクタＴ1C、インダクタＴ1D、インダクタＴ1E、インダクタＴ1F、インダクタＴ1G、インダクタＴ1H、コンデンサＣ2、スイッチＳ1SB、スイッチＳ2SB、スイッチＳ1S、スイッチＳ2S、スイッチＳ1B、および、スイッチＳ2B、を備え、
前記インダクタＴ1Aの第１の端子、前記インダクタＴ1Fの第１の端子、および、エネルギ源の第１の端子が結合され、
前記インダクタＴ1Aの第２の端子、前記インダクタＴ1Bの第１の端子、および、前記スイッチＳ1SBの第１の端子が結合され、
前記スイッチＳ1SBの第２の端子、前記スイッチＳ1Sの第１の端子、および、前記インダクタＴ1Cの第１の端子が結合され、
前記インダクタＴ1Cの第２の端子および前記インダクタＴ1Dの第１の端子が結合され、
前記コンデンサＣ2の第１の端子、前記スイッチＳ1Sの第２の端子、および、前記スイッチＳ2Sの第１の端子が結合され、
前記インダクタＴ1Dの第２の端子、前記スイッチＳ2SBの第１の端子、および、前記スイッチＳ2Sの第２の端子が結合され、
前記インダクタＴ1Eの第２の端子および前記インダクタＴ1Fの第２の端子が結合され、
前記スイッチＳ1Bの第１の端子および前記インダクタＴ1Gの第１の端子が結合され、
前記スイッチＳ2Bの第１の端子および前記インダクタＴ1Hの第１の端子が結合され、
前記スイッチＳ1Bの第２の端子および前記スイッチＳ2Bの第２の端子が、第１の出力端子に結合され、
前記インダクタＴ1Gの第２の端子および前記インダクタＴ1Hの第２の端子が、第２の出力端子に結合され、
前記インダクタＴ1C、前記インダクタＴ1D、前記インダクタＴ1G、および、前記インダクタＴ1Hは、電磁的に結合される、ＤＣ−ＤＣコンバータ。
（形態３８）
形態３７に記載のＤＣ−ＤＣコンバータであって、さらに、コンデンサＣ1およびコンデンサＣ3を備え、
前記コンデンサＣ1の第１の端子が、前記インダクタＴ1Aの前記第１の端子に結合され、前記コンデンサＣ1の第２の端子が、接地端子に結合され、
前記インダクタＣ3の第１の端子が、前記第１の出力端子に結合され、前記インダクタＣ3の第２の端子が、前記第２の出力端子に結合されている、ＤＣ−ＤＣコンバータ。
（形態３９）
形態３７に記載のＤＣ−ＤＣコンバータであって、前記インダクタＴ1AおよびＴ1Bは、誘導結合される、ＤＣ−ＤＣコンバータ。
（形態４０）
形態３７に記載のＤＣ−ＤＣコンバータであって、前記第１の出力端子および前記第２の出力端子は、負荷に結合される、ＤＣ−ＤＣコンバータ。
（形態４１）
形態３７に記載のＤＣ−ＤＣコンバータであって、さらに、ノードＢ、ノードＣ、および、ノードＥに結合された整流マトリクスを備える、ＤＣ−ＤＣコンバータ。
（形態４２）
形態３７に記載のＤＣ−ＤＣコンバータであって、さらに、前記スイッチＳ1SBに信号を供給するよう構成された制御部を備える、ＤＣ−ＤＣコンバータ。
（形態４３）
ＤＣ−ＤＣコンバータであって、
スイッチＳ1SB、スイッチＳ2B、コンデンサＣ2、インダクタＴ1A、インダクタＴ1B、および、インダクタＴ1Cを備え、
前記インダクタＴ1Aの第１の端子が、エネルギ源の第１の端子に結合され、
前記インダクタＴ1Aの第２の端子、前記インダクタＴ1Bの第１の端子、および、前記スイッチＳ1SBの第１の端子が結合され、
前記スイッチＳ1SBの第２の端子、前記インダクタＴ1Cの第１の端子、および、前記スイッチＳ2Bの第１の端子が結合され、
前記インダクタＴ1Cの第２の端子が、第１の出力端子に結合され、
前記コンデンサＣ2の第１の端子および前記インダクタＴ1Bの第２の端子が結合され、
前記コンデンサＣ2の第２の端子および前記スイッチＳ2Bの第２の端子が、第２の出力端子に結合されている、ＤＣ−ＤＣコンバータ。
（形態４４）
形態４３に記載のＤＣ−ＤＣコンバータであって、さらに、インダクタＴ1Dを備え、前記インダクタＴ1Dの第１の端子が、前記インダクタＴ1Cの前記第１の端子に結合され、前記インダクタＴ1Dの第２の端子が、前記インダクタＴ1Cの前記第２の端子に結合されている、ＤＣ−ＤＣコンバータ。
（形態４５）
形態４３に記載のＤＣ−ＤＣコンバータであって、さらに、コンデンサＣ1およびコンデンサＣ3を備え、
前記コンデンサＣ1の第１の端子が、前記インダクタＴ1Aの前記第１の端子に結合され、前記コンデンサＣ1の第２の端子が、前記第２の出力端子に結合され、
前記コンデンサＣ3の第１の端子が、前記インダクタＴ1Cの前記第２の端子に結合され、前記コンデンサＣ3の第２の端子が、前記第２の出力端子に結合されている、ＤＣ−ＤＣコンバータ。
（形態４６）
形態４３に記載のＤＣ−ＤＣコンバータであって、前記第１の出力端子は、負荷に結合される、ＤＣ−ＤＣコンバータ。
（形態４７）
形態４３に記載のＤＣ−ＤＣコンバータであって、さらに、前記インダクタＴ1Aの前記第２の端子、前記インダクタＴ1Cの前記第１の端子、および、前記第２の出力端子に結合された整流マトリクスを備える、ＤＣ−ＤＣコンバータ。
（形態４８）
形態４３に記載のＤＣ−ＤＣコンバータであって、さらに、前記スイッチＳ1SBに信号を供給するよう構成された制御部を備える、ＤＣ−ＤＣコンバータ。